(57)【要約】【課題】  光ファイバライン上の異常を容易に検知できる両方向アッド／ドロップノードを提供する。【解決手段】  光ファイバーによりループ状に互いに接続した両方向パススイッチ網に複数用いられる両方向アッド／ドロップノードであって、偶数及び奇数チャネルが、所定の方向に循環する循環部と、循環部と第１の終点との間に配置され、第１の終点に入力した奇数チャネルを、第１の入力路を通して循環部に出力すると共に、循環部から入力した偶数チャネルを、第１の出力路を通して第１の終点に出力する第１の入出力部と、循環部と第２の終端との間に配置され、第２の終点に入力した偶数チャネルを、第２の入力路を通して循環部に出力すると共に、循環部から入力した奇数チャネルを、第２の出力路を通して前記第２の終点に出力する第２の入出力部とを有する。【選択図】  図２
2005192210.tif 000002
【特許請求の範囲】
【請求項１】
第１の終点に入力したチャネルのうち奇数チャネルを第２の終点に出力し、第２の終点に入力したチャネルのうち偶数チャネルを第１の終点に出力し、光ファイバーによりループ状に互いに接続した、両方向パススイッチ網に複数用いられる両方向アッド／ドロップノードであって、
前記偶数及び奇数チャネルが、所定の方向に循環する循環部と、
前記循環部と前記第１の終点との間に配置され、該第１の終点に入力した奇数チャネルを、第１の入力路を通して前記循環部に出力すると共に、該循環部から入力した偶数チャネルを、第１の出力路を通して前記第１の終点に出力する第１の入出力部と、
前記循環部と前記第２の終端との間に配置され、該第２の終点に入力した偶数チャネルを、第２の入力路を通して前記循環部に出力すると共に、該循環部から入力した奇数チャネルを、第２の出力路を通して前記第２の終点に出力する第２の入出力部と、
を有することを特徴とする両方向アッド／ドロップノード。
【請求項２】
前記循環部は、
前記奇数及び偶数チャネルが循環する光通信媒体と、
前記光通信媒体内に直列に接続し、前記光通信媒体内部を進行する前記奇数及び偶数チャネルを増幅する光増幅器と、
前記光通信媒体の内部を進行する前記偶数及び奇数チャネルのうち、所定の波長を有する少なくとも一つのチャネルを取り出し、又は加えるアッド／ドロップ多重化器と、
を有することを特徴とする請求項１に記載の両方向アッド／ドロップノード。
【請求項３】
前記循環部は、
前記第１の入出力部に接続した第１のポートと、
前記第２の入出力部に接続した第２のポートと、
前記第２のポートとは対角線上に位置すると共に、前記第１のポートとは対向して位置し、前記光通信媒体の出力端に接続した第３のポートと、
前記第１のポートとは対角線上に位置すると共に、前記第２のポートとは対向して位置し、前記光通信媒体の入力端に接続した第４のポートと、
を備える第３のインターリーバをさらに有し、
該第３のインターリーバは、前記第１のポートに入力した前記奇数チャネル及び前記第２のポートに入力した前記偶数チャネルを、前記第４のポートに出力し、前記第３のポートに入力した前記偶数または奇数チャネルのうち、前記偶数チャネルを、前記第１のポートに出力し、前記奇数チャネルを、前記第２のポートに出力することを特徴とする請求項２に記載の両方向アッド／ドロップノード。
【請求項４】
前記第１の入出力部は、
前記第１の終点を通して入力した奇数チャネルを、前記第１の入力路に出力し、前記第１の出力路を通して入力した偶数チャネルを、前記第１の終点に出力する第１のサーキュレータと、
前記第１のサーキュレータと前記循環部との間に配置され、前記第１の入力路を通して前記第１のサーキュレータから入力した前記奇数チャネルを、前記循環部に出力すると共に、該循環部から入力した前記偶数チャネルを、前記第１の出力路に出力する第１のインターリーバと、
を有することを特徴とする請求項１に記載の両方向アッド／ドロップノード。
【請求項５】
前記第２の入出力部は、
前記第２の終点を通して入力した偶数チャネルを、前記第２の入力路に出力し、前記第２の出力路を通して入力した奇数チャネルを、前記第２の終点に出力する第２のサーキュレータと、
前記第２のサーキュレータと前記循環部との間に配置され、前記第２の入力路を通して前記第２のサーキュレータから入力した前記偶数チャネルを、前記循環部に出力し、該循環部から入力した前記奇数チャネルを、前記第２の出力路に出力する第２のインターリーバと、
を有することを特徴とする請求項１に記載の両方向アッド／ドロップノード。
【請求項６】
前記第１の入出力部は、
前記第１の終点から入力した奇数チャネルを、前記第１の入力路に出力し、前記第１の出力路から入力した偶数チャネルを、前記第１の終点に出力する第１のインターリーバと、
前記第１の入力路を通して前記第１のインターリーバから入力した前記奇数チャネルを、前記循環部に出力し、該循環部から入力した前記偶数チャネルを、前記第１の出力路を通して前記第１のインターリーバに出力する第１のサーキュレータと、
をさらに有することを特徴とする請求項１に記載の両方向アッド／ドロップノード。
【請求項７】
前記第２の入出力部は、
前記第２の終点から入力した偶数チャネルを、前記第２の入力路に出力し、前記第２の出力路から入力した奇数チャネルを、前記第２の終点に出力する第２のインターリーバと、
前記第２の入力路を通して前記第２のインターリーバから入力した前記偶数チャネルを、前記循環部に出力し、該循環部から入力した前記奇数チャネルを、前記第２の出力路を通して前記第２のインターリーバに出力する第２のサーキュレータと、
をさらに有することを特徴とする請求項１に記載の両方向アッド／ドロップノード。
【請求項８】
前記第１の入出力部は、
前記第１の入力路内に配置され、前記第１の入力路内に入力した奇数チャネルの強度変化を監視することによって、前記第１の終点に接続した光ファイバーの異常の有無を検知する第１のタップをさらに有することを特徴とする請求項１に記載の両方向アッド／ドロップノード。
【請求項９】
前記第２の入出力部は、
前記第２の入力路内に配置され、前記第２の入力路内に入力した偶数チャネルの強度変化を監視することによって、前記第２の終点に接続した光ファイバーの異常の有無を検知する第２のタップをさらに有することを特徴とする請求項１に記載の両方向アッド／ドロップノード。
【請求項１０】
奇数チャネルを第２の終点に出力し、偶数チャネルを第１の終点に出力する、光ファイバーを介してループ状に互いに接続した、両方向パススイッチ網に複数用いられる両方向アッド／ドロップノードであって、
前記偶数及び奇数チャネルが、所定の方向に循環する循環部と、
前記両方向アッド／ドロップノードの第１の終点を通して入力した奇数チャネルと、前記両方向アッド／ドロップノードの第２の終点を通して入力した偶数チャネルとを、前記循環部に出力する複数の入出力部と、
を有することを特徴とする両方向アッド／ドロップノード。
【請求項１１】
前記複数の入出力部は、
前記第１の終端と接続する第１のポートに入力した前記奇数チャネルを、その対角線上に位置する第４のポートを通して、第１の入力路に出力すると共に、第３のポートと接続した第１の出力路を通して前記循環部から入力した偶数チャネルを、第１のポートを通して前記第１の終点に出力する第１のインターリーバを備える第１の入出力部と、
前記第２の終端と接続する第１のポートに入力した前記偶数チャネルを、対向して位置する第３のポートを通して、第２の入力路に出力すると共に、第４のポートと接続した第２の出力路を通して前記循環部から入力した奇数チャネルを、第１のポートを通して前記第２の終点に出力する第２のインターリーバを備える第２の入出力部と、
を有することを特徴とする請求項１０に記載の両方向アッド／ドロップノード。
【請求項１２】
前記第１の入出力部は、
前記第１の出力路と接続した第１のポートと、前記第２の入出力部と接続した第２のポートと、前記循環部と接続して前記偶数及び奇数チャネルが入力する第３のポートと、を備える第３のインターリーバを有し、
前記第３のインターリーバは、前記偶数チャネルを、前記第１のポートに出力し、前記奇数チャネルを、前記第２のポートを通して出力することを特徴とする請求項１１に記載の両方向アッド／ドロップノード。
【請求項１３】
前記第２の入出力部は、
前記第２の入力路に接続した第１のポートと、前記第１の入力路を介して前記第１の入出力部と接続した第２のポートと、前記第１のポートを通して入力した前記偶数チャネルを出力する第３のポートと、を備える第４のインターリーバをさらに有し、
前記奇数チャネルは、前記第１の入出力部から前記第１の入力路を通して前記第２のポートに入力することを特徴とする請求項１１に記載の両方向アッド／ドロップノード。
【請求項１４】
前記循環部は、
前記第１の入出力部と前記第２の入出力部との間に、ループを形成して接続することによって、入力した前記奇数及び偶数チャネルが所定の方向に循環する光通信媒体と、
前記光通信媒体と直列に接続することによって、前記奇数及び偶数チャネルを増幅する光増幅器と、
前記奇数及び偶数チャネルの中から、所定の波長を有する少なくとも一つのチャネルを取り出し、又は加えるアッド／ドロップ多重化器と、
を有することを特徴とする請求項１０に記載の両方向アッド／ドロップノード。
【請求項１５】
前記第１の入出力部は、
前記第１の入力路内に配置され、前記第１の入力路内に入力した奇数チャネルの強度変化を監視することによって、前記第１の終点に接続した光ファイバーラインの異常の有無を確認する第１のタップをさらに有することを特徴とする請求項１１に記載の両方向アッド／ドロップノード。
【請求項１６】
前記第２の入出力部は、
前記第２の入力路内に配置され、前記第２の入力路内に入力した偶数チャネルの強度変化を監視することによって、前記第２の終点に接続した光ファイバーラインの異常の有無を確認する第２のタップをさらに有することを特徴とする請求項１１に記載の両方向アッド／ドロップノード。
【請求項１７】
前記強度変化は、前記各チャネルの蓄積された信号強度に基づいて求められることを特徴とする請求項８、１５または１６に記載の両方向アッド／ドロップノード。
【請求項１８】
前記強度変化は、前記各チャネルの信号強度に基づいて求められることを特徴とする請求項８、１５または１６に記載の両方向アッド／ドロップノード。
【請求項１９】
前記強度変化は、所定の許容限界値を超過することを特徴とする請求項１７または１８に記載の両方向アッド／ドロップノード。
【請求項２０】
前記所定の方向は、時計回り方向であることを特徴とする請求項１または１０に記載の両方向アッド／ドロップノード。
【請求項２１】
前記光通信媒体は、導波路又は光ファイバーであることを特徴とする請求項２または１４に記載の両方向アッド／ドロップノード。
【発明の詳細な説明】
【技術分野】
【０００１】
本発明は、光通信システムに関し、特に、両方向パススイッチ網に関する。
【背景技術】
【０００２】
波長分割多重化リングネットワークは、トラフィックの伝達方向によって単方向または両方向リングネットワークに分類される。これらは、光ファイバーの特定区間が損傷したときに実行する自己修復方式(self-healing mode)により、ラインスイッチング方式、または、パススイッチング方式のリング構造に分類される。
【０００３】
従来の両方向パススイッチ網は、単一の光ファイバーでループ状に接続した複数のノードを有する。両方向パススイッチ網は、他の構造の光ネットワークシステムに比べて、構造が単純であり、相対的にプロテクション(Protection)のためスイッチ動作時間が短い。しかしながら、両方向パススイッチ網は、各チャネルまたは光信号の両方向伝送時のライン上の問題に起因する反射波による信号のかく乱又はノイズの発生を考慮しなければならない。
【０００４】
図１は、従来のノード１００の構造を示す図である。複数のノードが、第１及び第２の光ファイバー１０１，１０２を介して両端が接続し、両方向パススイッチ網が形成されている。ノード１００は、２×２構造のインターリーバ１１０と、インターリーバ１１０の第３及び第４のポート１１０ｃ、１１０ｄとにループ状に接続した導波路１３０と、導波路１３０上に配置された光増幅器１２０とを有する。インターリーバ１１０は、第１〜第４のポート１１０ａ〜１１０ｄを備え、第１の光ファイバー１０１から第１のポート１１０ａに入力するチャネルの中で奇数チャネル(odd channel)を、第１のポート１１０ａと対角線方向に位置する第４のポート１１０ｄに出力する。また、インターリーバ１１０は、第２の光ファイバー１０２から第２のポート１１０ｂに入力するチャネルの中で偶数チャネル(even channel)を、第４のポート１１０ｄに出力する。
【０００５】
導波路１３０は、インターリーバ１１０の第４のポート１１０ｄと第３のポート１１０ｃとの間に接続して、一種の循環ループを形成し、第４のポート１１０ｄから受信した奇数及び偶数チャネルを、第３のポート１１０ｃへ循環する。光増幅器１２０は、導波路１３０内に配置され、導波路１３０に沿って循環する奇数及び偶数チャネルを増幅する。
【０００６】
インターリーバ１１０は、第３のポート１１０ｃを介して受信した奇数と偶数チャネルの中で、偶数チャネルを、第２のポート１１０ｂを通して第２の光ファイバー１０２に出力し、奇数チャネルを、第１のポート１１０ａを通して第１の光ファイバー１０１に出力する。
【０００７】
しかしながら、従来の両方向パススイッチ網は、複数のノードを接続する光ファイバーライン上に問題が発生した場合には、隣接する各ノードに反射するノイズ又は各チャネルの強度損失が大きく発生するという問題があった。しかも、従来のノードは、両方向パススイッチ網に生じた問題を認識することができない他に、両方向パススイッチ網に発生した問題によってチャネル信号強度の損失及びチャネルノイズが大きく発生するという問題があった。
【発明の開示】
【発明が解決しようとする課題】
【０００８】
本発明は、上記の問題点に鑑みてなされたものであり、その目的は、入出力するチャネルの強度を監視することによって、光ファイバーライン上に問題やかく乱の発生を確認することができるアッド／ドロップノードを提供することにある。
【課題を解決するための手段】
【０００９】
上記の目的を達成するために、本発明は、第１の終点に入力したチャネルのうち奇数チャネルを、第２の終点に出力し、第２の終点に入力したチャネルのうち偶数チャネルを第１の終点に出力する、光ファイバーによりループ状に互いに接続した、両方向パススイッチ網に複数用いられる両方向アッド／ドロップノードであって、偶数及び奇数チャネルが、所定の方向に循環する循環部と、循環部と第１の終点との間に配置され、第１の終点に入力した奇数チャネルを、第１の入力路を通して循環部に出力すると共に、循環部から入力した偶数チャネルを、第１の出力路を通して第１の終点に出力する第１の入出力部と、循環部と第２の終端との間に配置され、第２の終点に入力した偶数チャネルを、第２の入力路を通して循環部に出力すると共に、循環部から入力した奇数チャネルを、第２の出力路を通して前記第２の終点に出力する第２の入出力部とを有することを特徴とする。
【発明の効果】
【００１０】
本発明による両方向アッド／ドロップノードは、奇数及び偶数チャネルの経路を分割することによって、両方向パススイッチ網の性能劣化を全体として防止し、安定した動作特性を得ることができる。また、本発明による両方向アッド／ドロップノードは、その内部に入力した奇数または偶数チャネルの強度変化を持続して監視することによって、接続する光ファイバーライン上の異常の発生を容易に感知することができる。そして、複数のインターリーバを有するため、光ファイバーライン上の障害に起因するノイズ発生及び伝送品質の低下を防止することができる。
【発明を実施するための最良の形態】
【００１１】
以下、本発明の好ましい実施形態について、添付図面を参照しつつ詳細に説明する。なお、下記の説明において、本発明の要旨のみを明瞭にするために、公知の機能又は構成についての詳細な説明は省略する。また、図面中、同一な構成要素及び部分には、可能な限り同一な符号及び番号を共通に使用するものとする。
【００１２】
図２は、本発明の第１の実施形態による両方向アッド／ドロップノード（ａｄｄ／ｄｒｏｐ  ｎｏｄｅ）の構造を示す図である。図２を参照すると、本発明の第１の実施形態による両方向アッド／ドロップノード２００は、第１の光ファイバー１０１を通して第１の終点２０１に入力する奇数チャネル及び第２の光ファイバー１０２を通して第２の終点２０２に入力する偶数チャネルを、時計回り方向に循環させる循環部２３０と、循環部２３０と第１の終点２０１との間に配置された第１の入出力部２１０と、循環部２３０と第２の終点２０２との間に配置された第２の入出力部２２０とを有する。また、両方向アッド／ドロップノード２００は、第１の終点及び第２の終点２０１，２０２が、他の両方向アッド／ドロップノードと光ファイバーを介して相互にリンクすることによって、第１の終点２０１から入力した奇数チャネルを、第２の終点２０２に出力し、第２の終点２０２から入力した偶数チャネルを、第１の終点２０１に出力する。この動作について詳細に説明すると、下記の通りである。
【００１３】
第１の入出力部２１０は、第１のサーキュレータ２１３と、第１のインターリーバ２１４とを有し、循環部２３０と第１の終点２０１との間に配置される。そして、第１の入出力部２１０は、第１の終点２０１を通して入力した奇数チャネルを、第１の入力路２１１を通して循環部２３０に出力し、循環部２３０から入力した偶数チャネルを、第１の出力路２１２を通して第１の終点２０１に出力する。
【００１４】
第１のサーキュレータ２１３は、第１の終点２０１から入力するチャネルの中で奇数チャネルを、第１の入力路２１１を通して第１のインターリーバ２１４の第２のポート２１４ｂに出力し、第１の出力路２１２から入力する偶数チャネルを、第１の終点２０１に出力する。
【００１５】
第１のインターリーバ２１４は、第１の入力路２１１から入力した奇数チャネルを、第３のポート２１４ｃを通して循環部２３０に出力し、第３のポート２１４ｃを通して循環部２３０から入力した偶数チャネルを、第１のポート２１４ａを通して第１の出力路２１２に出力する。
【００１６】
また、第２の入出力部２２０は、第２のサーキュレータ２２３と第２のインターリーバ２２４とを有し、循環部２３０と第２の終点２０２との間に配置される。そして、第２の入出力部２２０は、第２の終点２０２から入力した偶数チャネルを、第２の入力路２２１を通して循環部２３０に出力し、循環部２３０から入力した奇数チャネルを、第２の出力路２２２を通して第２の終点２０２に出力する。
【００１７】
第２の入力路２２１は、偶数チャネルのみを第２のインターリーバ２２４に出力し、第２の出力路２２２は、奇数チャネルのみを第２のサーキュレータ２２３に出力する。
【００１８】
第１及び第２の入力路２１１，２２１と第１及び第２の出力路２１２，２２２には、平面光導波路または光ファイバーなどを使用することができ、第１の入力路２１１上には、奇数チャネルの強度を測定するための第１のタップ２１１ａが配置され、第２の入力路２２１上には、偶数チャネルの強度を測定するための第２のタップ２２１ａが配置される。すなわち、第１のタップ２１１ａは、第１の入力路２１１に入力する個別又は蓄積した奇数チャネルの強度を監視することによって、両方向アッド／ドロップノード２００の第１の終点２０１に接続した光ファイバーラインの異常の有無を判断し、第２のタップ２２１ａは、第２の入力路２２１に入力する個別又は蓄積した偶数チャネルの強度を監視することによって、両方向アッド／ドロップノード２００の第２の終点２０２に接続した光ファイバーラインの異常の有無を判断する。
【００１９】
この光ファイバーラインの異常有無は、一つまたはそれ以上の各チャネルの強度または蓄積したチャネルの強度が、所定の許容限界を超過した場合、あるいは、強度の変化が、あるサンプルと他のサンプル間に所定の許容限界を超過または低下した場合から判断することができる。これらの他にも、第１及び第２のタップ２１１ａ、２２１ａは、所定の周期で信号強度を監視し、一つの周期又はサンプルから、他の周期、サンプル、又は数周期への強度の変化から異常の有無を判断することも可能である。
【００２０】
第２のサーキュレータ２２３は、第２の終点２０２から入力するチャネルの中で偶数チャネルを、第２の入力路２２１に出力し、第２の出力路２２２から入力する奇数チャネルを、第２の終点２０２に出力する。
【００２１】
第２のインターリーバ２２４は、第１のポート２２４ａを介して第２の入力路２２１から入力した偶数チャネルを、循環部２３０に出力し、第３のポート２２４ｃを介して循環部２３０から入力した奇数チャネルを、第２のポート２２４ｂを通して第２の出力路２２２に出力する。
【００２２】
循環部２３０は、奇数及び偶数チャネルを時計回り方向に循環させる導波路（光通信媒体）２３４と、第３のインターリーバ２３１と、光増幅器２３３と、アッド／ドロップ多重化器(Add/Drop Multiplexer)２３２とを有する。循環部２３０は、第１の終点２０１に入力した奇数チャネル及び第２の終点２０２に入力した偶数チャネルを、時計回り方向に循環させて、奇数チャネルは、第２の入出力部２２０に出力し、偶数チャネルは、第１の入出力部２１０に出力する。導波路２３４としては、光導波路または光ファイバーなどを使用することができる。
【００２３】
第３のインターリーバ２３１は、第１及び第２の入出力部２１０，２２０からそれぞれ入力した偶数及び奇数チャネルを、導波路２３４に出力し、この導波路２３４に沿って時計回り方向に循環した偶数及び奇数チャネルの中で、偶数チャネルは、第１の入出力部２１０に出力し、奇数チャネルは、第２の入出力部２２０に出力する。
【００２４】
つまり、第１のポート２３１ａに入力した奇数チャネルは第３のインターリーバ２３１の対角線上のポートである第４のポート２３１ｄに出力し、第２のポート２３１ｂに入力した偶数チャネルは、対向する直線上のポートである第４のポート２３１ｄに出力し、第３のポート２３１ｃに入力した偶数チャネルは、第１のポート２３１ａに出力し、第３のポート２３１ｃに入力した奇数チャネルは、第２のポート２３１ｂに出力する。
【００２５】
そして、第１のポート２３１ａは第１の入出力部２１０の第１のインターリーバ２１４と接続し、第２のポート２３１ｂは第２の入出力部２２０の第２のインターリーバ２２４と接続する。第３のポート２３１ｃと第４のポート２３１ｄとは導波路２３４により接続している。
【００２６】
光増幅器２３３は、導波路２３４を通して入力した奇数及び偶数チャネルを増幅して、アッド／ドロップ多重化器２３２に出力し、このアッド／ドロップ多重化器２３２は、光増幅器２３３から入力したチャネルに対して、所定の波長のチャネルを取り出し（ドロップ）たり、加え（アッド）たりして、導波路２３４を通して第３のインターリーバ２３１に出力する。
【００２７】
第１から第３のインターリーバ２１４，２２４，２３１は、第１から第４のポートを有し、その内部に入力した奇数チャネルは、入力したポートと対角線上に位置するポートを通して出力し、偶数チャネルは、入力したポートと対向して直線上に位置するポートを通して出力する。後述する実施形態におけるインターリーバは、奇数及び偶数チャネルに対して上記と同様の動作を実行する。
【００２８】
例えば、第１のインターリーバ２１４の第２のポート２１４ｂに入力した偶数チャネルは、第２のポート２１４ｂの対角線上に位置する第３のポート２１４ｃを通して、第３のインターリーバ２３１の第１のポート２３１ａに出力する。また、第３のインターリーバ２３１の第３のポート２３１ｃに入力した偶数チャネルは、第３のポート２３１ｃの対向して直線上に位置する第３のインターリーバ２３１の第１のポート２３１ａを通して、第１のインターリーバ２１４の第３のポート２１４ｃに出力し、第１のインターリーバ２１４は、第３のポート２１４ｃに入力した偶数チャネルを、第１のサーキュレータ２１３へ第１のポート２１４ａを通して出力する。逆に、第３のインターリーバ２３１の第３のポート２３１ｃに入力した奇数チャネルは、第３のポート２３１ｃの対角線上に位置する第２のポート２３１ｂを通して、第２のインターリーバ２２４の第３のポート２２４ｃに出力し、第２のインターリーバ２２４は、第３のポート２２４ｃに入力した奇数チャネルを、第３のポート２２４ｃの対角線上に位置する第２のポート２２４ｂを通して出力する。
【００２９】
なお、ここで、循環部２３０が、アッド／ドロップ多重化器２３２を含む例を示したが、このアッド／ドロップ多重化器２３２が本発明の実施形態の動作において必須のものではなく、適宜省略可能なことは、当該技術分野で通常の知識を持つ者にとっては明らかである。この場合には、循環部２３０は、図１に示した循環器１３０と同様に動作することとなる。
【００３０】
図３は、本発明の第２の実施形態による両方向アッド／ドロップノードの構造を示す図である。図３を参照すると、両方向アッド／ドロップノード３００は、第１の終点３０１に入力した奇数チャネル及び第２の終点３０２に入力した偶数チャネルを時計回り方向に循環させる循環部３３０と、循環部３３０と第１の終点３０１との間に配置された第１の入出力部３１０と、循環部３３０と第２の終点３０２との間に配置された第２の入出力部３２０とを有する。また、両方向アッド／ドロップノード３００は、第１の終点及び第２の終点３０１，３０２が、他の両方向アッド／ドロップノードと光ファイバーを介して相互に接続することによって、第１の終点３０１に入力した奇数チャネルを、第２の終点３０２に出力し、第２の終点３０２に入力した偶数チャネルを、第１の終点３０１に出力する。
【００３１】
第１の入出力部３１０は、第１のインターリーバ３１３と、第１のサーキュレータ３１４とを有し、循環部３３０と第１の終点３０１との間に配置される。そして、第１の入出力部３１０は、第１の終点３０１から入力した奇数チャネルを、第１の入力路３１１を通して循環部３３０に出力し、循環部３３０から入力した偶数チャネルを、第１の出力路３１２を通して第１の終点３０１に出力する。
【００３２】
第１のインターリーバ３１３は、第１の終点３０１と第１のサーキュレータ３１４との間に配置され、第１のインターリーバ３１３の第１のポート３１３ａは、第１の終点３０１と接続しており、第１の終点３０１から入力した奇数チャネルを、第４のポート３１３ｄから出力して、第１の入力路３１１を通して第１のサーキュレータ３１４に出力する。また、第１のインターリーバ３１３の第３のポート３１３ｄと接続する第１の出力路３１２を通して、第１のサーキュレータ３１４から入力した偶数チャネルを、第１の終点３０１に出力する。
【００３３】
第１のサーキュレータ３１４は、循環部３３０と第１のインターリーバ３１３との間に配置され、循環部３３０から入力した偶数チャネルを、第１の出力路３１２を通して第１のインターリーバ３１３に出力し、第１の入力路３１１を通して第１のインターリーバ３１３から入力した奇数チャネルを、循環部３３０に出力する。
【００３４】
第２の入出力部３２０は、第２のサーキュレータ３２４と、第２のインターリーバ３２３とを有し、循環部３３０と両方向アッド／ドロップノード３００の第２の終点３０２との間に配置される。そして第２の入出力部３２０は、第２の終点３０２から入力した偶数チャネルを、循環部３３０に出力し、循環部３３０から入力した奇数チャネルを、第２の終点３０２に出力する。
【００３５】
第２のインターリーバ３２３は、第２のサーキュレータ３２４と第２の終点３０２との間に配置され、第２のインターリーバ３２３の第１のポート３２３ａは、第２の終点３０２と接続しており、第２の終点３０２から入力した偶数チャネルを、第３のポート３２３ｃから出力して、第２の入力路３２１を通して第２のサーキュレータ３２４に出力する。また、第２のインターリーバ３２３の第４のポート３２３ｄと接続する第２の出力路３２２を通して、第２のサーキュレータ３２４から入力した奇数チャネルを、第２の終点３０２に出力する。
【００３６】
第１の入力路３１１と第２の入力路３２１上には、奇数及び偶数チャネルの進行状態を監視する第１及び第２のタップ３１１ａ，３２１ａがそれぞれ配置され、これにより、両方向アッド／ドロップノード３００の第１及び第２の終点３０１，３０２それぞれにリンクした光ファイバーラインの異常の有無を確認する。第１及び第２のタップ３１１ａ，３２１ａは、上述したように、信号強度を監視することによって異常有無を判断する。
【００３７】
循環部３３０は、奇数及び偶数チャネルを時計回り方向に循環させる導波路３３４と、第３のインターリーバ(Interleaver)３３１と、光増幅器３３３と、アッド／ドロップ多重化器(Add/Drop Multiplexer)３３２とを有し、その動作は、図２の方法と同様である。
【００３８】
つまり、循環部３３０は、奇数及び偶数チャネルを時計回り方向に循環させる導波路（光通信媒体）３３４と、第３のインターリーバ３３１と、光増幅器（Ａｍｐ．）３３３と、アッド／ドロップ多重化器(Add/Drop Multiplexer)３３２とを有する。循環部３３０は、第１の終点３０１に入力した奇数チャネル及び第２の終点３０２に入力した偶数チャネルを、時計回り方向に循環させて、奇数チャネルは、第２の入出力部３２０に出力し、偶数チャネルは、第１の入出力部３１０に出力する。導波路３３４としては、光導波路または光ファイバーなどを使用することができる。
【００３９】
第３のインターリーバ３３１は、第１及び第２の入出力部３１０，３２０からそれぞれ入力した偶数及び奇数チャネルを、導波路３３４に出力し、この導波路３３４に沿って時計回り方向に循環した偶数及び奇数チャネルの中で、偶数チャネルは、第１の入出力部３１０に出力し、奇数チャネルは、第２の入出力部３２０に出力する。
【００４０】
つまり、第１のポート３３１ａに入力した奇数チャネルは第３のインターリーバ３３１の対角線上のポートである第４のポート３３１ｄに出力し、第２のポート３３１ｂに入力した偶数チャネルは、対向する直線上のポートである第４のポート３３１ｄに出力し、第３のポート３３１ｃに入力した偶数チャネルは、第１のポート３３１ａに出力し、第３のポート３３１ｃに入力した奇数チャネルは、第２のポート３３１ｂに出力する。
【００４１】
そして、第１のポート３３１ａは第１の入出力部３１０の第１のサーキュレータ３１４と接続し、第２のポート３３１ｂは第２の入出力部３２０の第２のサーキュレータ３２４と接続する。第３のポート３３１ｃと第４のポート３３１ｄとは導波路３３４により接続している。
【００４２】
光増幅器３３３は、導波路３３４を通して入力した奇数及び偶数チャネルを増幅して、アッド／ドロップ多重化器３３２に出力し、このアッド／ドロップ多重化器３３２は、光増幅器３３３から入力したチャネルに対して、所定の波長のチャネルを取り出し（ドロップ）たり、加え（アッド）たりして、導波路３３４を通して第３のインターリーバ３３１に出力する。
【００４３】
図４は、本発明の第３の実施形態による両方向アッド／ドロップノードの構造を示す図である。図４を参照すると、本発明の第３の実施形態による両方向アッド／ドロップノード４００は、偶数及び奇数チャネルを時計回り方向に循環させる循環部４３０と、複数の入出力部とを有する。また、両方向アッド／ドロップノード４００は、第１及び第２の終点４０１，４０２に光ファイバーを介して接続することによって、第１の終点４０１に入力した奇数チャネルを、第２の終点４０２に出力し、第２の終点４０２に入力した偶数チャネルを、第１の終点４０１に出力する。
【００４４】
ここで、入出力部は、第１及び第２の入出力部４１０，４２０からなり、第１の入出力部４１０は、循環部４３０と両方向アッド／ドロップノード４００の第１の終点４０１との間に配置され、第１の終点４０１から入力した奇数チャネルを、第２の入出力部４２０に出力する。また、第２の入出力部４２０は、循環部４３０と両方向アッド／ドロップノード４００の第２の終点４０２との間に配置され、第１の入出力部４１０から入力した奇数チャネルと第２の終点を通して入力した偶数チャネルを、循環部４３０に出力する。
【００４５】
第１の入出力部４１０は、第１のインターリーバ４１３と、第３のインターリーバ４１４と、第１のタップ４１１とを有し、第１のインターリーバ４１３の第３のポート４１３ｃと第３のインターリーバ４１４の第１のポート４１４ａは、相互に接続して第１の出力路４１２を形成する。また、第１のインターリーバ４１３の第４のポート４１３ｄは、第２の入出力部４２０の第４のインターリーバと接続して第１の入力路４１１を形成する。
【００４６】
第１のインターリーバ４１３は、第１の終点４０１と接続した第１のポート４１３ａに入力した奇数チャネルを、その対角線上に位置する第４のポート４１３ｄを通して第１の入力路４１１に出力し、第３のポート４１３ｃと接続した第１の出力路４１２を通して、循環部４３０から入力した偶数チャネルを、第１のポート４１３ａを通して、両方向アッドドロップノード４００の第１の終点４０１に出力する。
【００４７】
第３のインターリーバ４１４は、循環部４３０と接続した第３のポート４１４ｃを通して入力した偶数及び奇数チャネルの中で、偶数チャネルを、第１の出力路４１２と接続した第１のポート４１４ａに出力し、奇数チャネルを、第３のインターリーバ４１４の第２のポート４１４ｂを通して第２の出力路４２２に出力する。
【００４８】
第１のタップ４１１ａは、第１の入力路４１１内に配置され、図２で説明したように、第１の入力路４１１を進行する奇数チャネルの強度の変化を監視することによって、両方向アッド／ドロップノード４００の第１の終点４０１に接続した光ファイバーラインの異常の有無を判断する。
【００４９】
第２の入出力部４２０は、第２のインターリーバ４２３と、第４のインターリーバ４２４と、第２のタップ４２１とを有し、第２のインターリーバ４２３の第３のポート４２３ｃと第４のインターリーバ４２４の第１のポート４２４ａは、相互に接続して第２の入力路４２１を形成する。また、第２のインターリーバ４２３の第４のポート４２３ｄは、第３のインターリーバ４１４の第２のポート４１４ｂと接続して第２の出力路４２２を形成する。
【００５０】
第２のインターリーバ４２３は、両方向アッド／ドロップノード４００の第２の終点４０２と接続した第１のポート４２３ａに入力した偶数チャネルを、その対向して直線上に位置する第３のポート４２３ｃを通して第２の入力路４２１に出力し、第１の入出力部４１０と接続した第２の出力路４２２を通して入力した奇数チャネルを、第１のポート４２３ａを通して、両方向アッドドロップノード４２０の第２の終点４０２に出力する。
【００５１】
第４のインターリーバ４２４は、第１の入力路４１１を介して第１の入出力部４１０と接続した第２のポート４２４ｂに入力した奇数チャネルと、第２の入力路４２１と接続した第１のポート４２４ａを通して、第２のインターリーバ４２３から入力した偶数チャネルとを、循環部４３０と接続した第３のポート４２４ｃを通して循環部４３０に出力する。
【００５２】
循環部４３０は、第４のインターリーバ４２４の第３のポート４２４ｃと第３のインターリーバ４１４の第３のポート４１４ｃとに接続する導波路４３３と、導波路４３３内に直列に接続した光増幅器４３２と、アッド／ドロップ多重化器４３１とを有する。
【００５３】
導波路４３３は、第４のインターリーバ４２４の第３のポート４２４ｃから入力した偶数及び奇数チャネルを、時計回り方向に循環させて、第３のインターリーバ４１４の第３のポート４１４ｃに出力する。
【００５４】
光増幅器４３２は、導波路４３３内に直列に接続することによって、第４のインターリーバ４２４から入力した奇数及び偶数チャネルを増幅して、アッド／ドロップ多重化器４３１に出力する。
【００５５】
アッド／ドロップ多重化器４３１は、光増幅器４３２と第１の入出力部４１０との間に配置され、光増幅器４３２で増幅した奇数及び偶数チャネルに対して、所定の波長のチャネルを取り出し（ドロップ）たり、加え（アッド）たりして、導波路４３３を通して第１の入出力部４１０に出力する。
【００５６】
以上説明したように、本発明の第１から第３の実施形態の第１及び第２の入出力部は、その内部を進行する奇数チャネルと偶数チャネルの進行経路を、第１及び第２の入力路、第１及び第２の出力路のように分別し、偶数または奇数チャネルそれぞれの強度を監視することによって、奇数チャネルが入力する光ファイバーラインと、偶数チャネルが入力する光ファイバーライン上の問題を容易に監視することができる。
【図面の簡単な説明】
【００５７】
【図１】従来の両方向アッド／ドロップノードを示す図である。
【図２】本発明の第１の実施形態による両方向アッド／ドロップノードを示す図である。
【図３】本発明の第２の実施形態による両方向アッド／ドロップノードを示す図である。
【図４】本発明の第３の実施形態による両方向アッド／ドロップノードを示す図である。
【符号の説明】
【００５８】
２００：両方向アッド／ドロップノード
２０１：第１の終点
２０２：第２の終点
２１０：第１の入出力部
２１１：第１の入力路
２１２：第１の出力路
２１３：第１のサーキュレータ
２１４：第１のインターリーバ
２２０：第２の入出力部
２２１：第２の入力路
２２２：第２の出力路
２２３：第２のサーキュレータ
２２４：第２のインターリーバ
２３０：循環部
２３１：第３のインターリーバ
２３２：アッド／ドロップ多重化器
２３３：光増幅器
２３４：導波路
【図１】
2005192210.tif 000003
【図２】
2005192210.tif 000004
【図３】
2005192210.tif 000005
【図４】
2005192210.tif 000006